(57)【要約】【課題】浴槽からタンクへ浴槽水を移送するための配管の中を洗浄して清潔に保つことのできる浴槽水利用装置を提供する。【解決手段】浴槽水利用装置１０は、浴槽２とタンク１２とを繋ぐ中水補給管２１を通じて浴槽内の湯水をタンク１２へポンプ１１で汲み上げ、該タンク１２に貯めた湯水をトイレの洗浄水等として再利用する。中水補給管２１を洗浄するときは、浴槽２の栓が抜かれて浴槽水位が急減少するまで待ち、浴槽水位が急減少中に、逆流防止機能付き電磁弁８０Ａと上水送出管開閉電磁弁９３を開き、上水給水管２３からの上水を中水補給管２１に逆流させて配管を洗浄する。配管洗浄後の水は、栓の外れた浴槽２の排水口から浴槽外へ排水される。【選択図】図１
2015010337.tif 000002
【特許請求の範囲】
【請求項１】
タンクと、
前記タンクと浴槽の取水口との間を接続する中水補給管と、
前記中水補給管を通じて前記浴槽内の水を前記タンクに汲み上げるポンプと、
順方向の入り側に上水の給水管が接続された逆流防止機能付き電磁弁と、
前記逆流防止機能付き電磁弁の出側に一端が接続され、他端が前記中水補給管の前記タンク側の端部近傍に合流された上水送出管と、
前記中水補給管のうちの前記上水送出管の合流箇所と前記タンク側の端部との間で前記中水補給管を開閉する電磁弁と、
前記タンク内の湯水の再利用要求に応じて該タンク内の湯水を所定の出水口へ排水する排水部と、
浴槽内の湯水を前記タンクに汲み上げるときは前記逆流防止機能付き電磁弁を閉じ、かつ、前記電磁弁を開いて前記ポンプを動作させ、前記中水補給管を洗浄するときは、前記電磁弁を閉じた状態で前記逆流防止機能付き電磁弁を開いて前記給水管からの上水を前記浴槽内へ流すように制御する制御部と、
を有する
ことを特徴とする浴槽水利用装置。
【請求項２】
前記中水補給管は前記タンクの最高水位より高い位置で前記タンク内に開口している
ことを特徴とする請求項１に記載の浴槽水利用装置。
【請求項３】
前記電磁弁は、順方向の出側が前記タンク側にされた第２の逆流防止機能付き電磁弁である
ことを特徴とする請求項１に記載の浴槽水利用装置。
【請求項４】
前記逆流防止機能付き電磁弁の入り側の前記給水管から分岐し、終端が前記タンクの最高水位より高い位置で前記タンク内に開放された上水補給管と、
前記上水補給管を開閉する第２の電磁弁と、
を備える
ことを特徴とする請求項１乃至３のいずれか１つに記載の浴槽水利用装置。
【請求項５】
前記上水送出管から分岐して前記タンク内に通じた上水補給管と、
前記上水補給管の分岐箇所と前記合流箇所との間で前記上水送出管を開閉する第３の電磁弁と、
を有し
前記制御部は、前記浴槽内の水を前記ポンプで前記タンクへ汲み上げるときは前記第３の電磁弁を閉じ、かつ前記電磁弁を開き、上水を前記タンクに補給するときは前記第３の電磁弁を閉じ、前記中水補給管を洗浄するときは前記第３の電磁弁を開き、かつ前記電磁弁を閉じる
ことを特徴とする請求項１乃至３のいずれか１つに記載の浴槽水利用装置。
【請求項６】
前記浴槽内の水位を検出する水位センサをさらに備え、
前記制御部は、前記水位センサの検出水位が急減少しているときに、前記中水補給管の洗浄を行う
ことを特徴とする請求項１乃至５のいずれか１つに記載の浴槽水利用装置。
【請求項７】
前記制御部は、前記中水補給管の洗浄中に前記水位センサの検出水位が上昇した場合は、所定の警告を行う
ことを特徴とする請求項６に記載の浴槽水利用装置。
【請求項８】
前記逆流防止機能付き電磁弁は、上水が断水した状態で出側から逆流した水を排出する排出口を備え、
前記排出口から流出する水が所定の排水箇所へ排水されるようにした
ことを特徴とする請求項１乃至７のいずれか１つに記載の浴槽水利用装置。
【請求項９】
前記排水部は、前記タンク内の水をトイレの便器の洗浄水として排水する
ことを特徴とする請求項１乃至８のいずれか１つに記載の浴槽水利用装置。
【請求項１０】
前記タンクは、前記トイレの天井裏に設置される
ことを特徴とする請求項９に記載の浴槽水利用装置。
【発明の詳細な説明】
【技術分野】
【０００１】
本発明は、浴槽水をトイレの便器の洗浄水に利用する浴槽水利用装置に関する。
【背景技術】
【０００２】
浴槽の残り湯を、浴室の天井部分に設けたタンクにポンプで汲み上げてトイレの洗浄水等に利用する家庭用水再利用装置がある（特許文献１参照）。この家庭用水再利用装置では、浴槽より下側に補助タンクを設け、浴槽内の水を補助タンクに引き込み、補助タンクに溜まった水を浴室天井部分に設けたタンクへポンプで移送している。
【先行技術文献】
【特許文献】
【０００３】
【特許文献１】特開平１０−６０９６１号公報
【発明の概要】
【発明が解決しようとする課題】
【０００４】
人が入浴した後の残り湯を浴室天井部分に設けたタンクへ移送し貯えて再利用する場合、長期間使用するうちに、浴槽からタンクへ浴槽水を移送するための配管の中が雑菌の繁殖等によって汚れてしまう。
【０００５】
本発明は、上記の問題を解決しようとするものであり、浴槽からタンクへ浴槽水を移送するための配管の中を洗浄して清潔に保つことのできる浴槽水利用装置を提供することを目的としている。
【課題を解決するための手段】
【０００６】
かかる目的を達成するための本発明の要旨とするところは、次の各項の発明に存する。
【０００７】
［１］タンクと、
前記タンクと浴槽の取水口との間を接続する中水補給管と、
前記中水補給管を通じて前記浴槽内の水を前記タンクに汲み上げるポンプと、
順方向の入り側に上水の給水管が接続された逆流防止機能付き電磁弁と、
前記逆流防止機能付き電磁弁の出側に一端が接続され、他端が前記中水補給管の前記タンク側の端部近傍に合流された上水送出管と、
前記中水補給管のうちの前記上水送出管の合流箇所と前記タンク側の端部との間で前記中水補給管を開閉する電磁弁と、
前記タンク内の湯水の再利用要求に応じて該タンク内の湯水を所定の出水口へ排水する排水部と、
浴槽内の湯水を前記タンクに汲み上げるときは前記逆流防止機能付き電磁弁を閉じ、かつ、前記電磁弁を開いて前記ポンプを動作させ、前記中水補給管を洗浄するときは、前記電磁弁を閉じた状態で前記逆流防止機能付き電磁弁を開いて前記給水管からの上水を前記浴槽内へ流すように制御する制御部と、
を有する
ことを特徴とする浴槽水利用装置。
【０００８】
上記発明では、浴槽とタンクとを繋ぐ中水補給管を通じて浴槽内の湯水をポンプでタンクへ汲み上げ、該タンクに貯めた湯水を、再利用要求に応じて所定の出水口へ排水して再利用する。浴槽内の湯水をタンクに汲み上げるときは逆流防止機能付き電磁弁を閉じ、かつ、中水補給管の電磁弁を開いて中水補給管をタンクに連通させ、ポンプを動作させる。中水補給管を洗浄するときは、中水補給管の電磁弁を閉じた状態で逆流防止機能付き電磁弁を開いて給水管からの上水を中水補給管に流して浴槽内へ排水する。
【０００９】
［２］前記中水補給管は前記タンクの最高水位より高い位置で前記タンク内に開口している
ことを特徴とする［１］に記載の浴槽水利用装置。
【００１０】
上記発明では、中水補給管の出口とタンク内の水とは高低差（空間）により縁切りされる。したがって、タンク内の水が中水排水管を逆流して浴槽に流出することはない。
【００１１】
［３］前記電磁弁は、順方向の出側が前記タンク側にされた第２の逆流防止機能付き電磁弁である
ことを特徴とする［１］に記載の浴槽水利用装置。
【００１２】
上記発明では、中水補給管の終端を第２の逆流防止機能付き電磁弁を介してタンクに開口させたので、高低差で縁切りする必要がなくなり、中水補給管をタンクの底部などに開口させることができる。
【００１３】
［４］前記逆流防止機能付き電磁弁の入り側の前記給水管から分岐し、終端が前記タンクの最高水位より高い位置で前記タンク内に開放された上水補給管と、
前記上水補給管を開閉する第２の電磁弁と、
を備える
ことを特徴とする［１］乃至［３］のいずれか１つに記載の浴槽水利用装置。
【００１４】
上記発明では、第２の電磁弁を開くことで、上水補給管を通じてタンクに上水を補給することができる。なお、上水補給管の終端は高低差によってタンク内の水と縁切りされている。
【００１５】
［５］前記上水送出管から分岐して前記タンク内に通じた上水補給管と、
前記上水補給管の分岐箇所と前記合流箇所との間で前記上水送出管を開閉する第３の電磁弁と、
を有し
前記制御部は、前記浴槽内の水を前記ポンプで前記タンクへ汲み上げるときは前記第３の電磁弁を閉じ、かつ前記電磁弁を開き、上水を前記タンクに補給するときは前記第３の電磁弁を閉じ、前記中水補給管を洗浄するときは前記第３の電磁弁を開き、かつ前記電磁弁を閉じる
ことを特徴とする［１］乃至［３］のいずれか１つに記載の浴槽水利用装置。
【００１６】
上記発明では、上水をタンクに補給することができる。
【００１７】
［６］前記浴槽内の水位を検出する水位センサをさらに備え、
前記制御部は、前記水位センサの検出水位が急減少しているときに、前記中水補給管の洗浄を行う
ことを特徴とする［１］乃至［５］のいずれか１つに記載の浴槽水利用装置。
【００１８】
上記発明では、浴槽の水位が急減少したとき、すなわち、浴槽の栓が抜かれているときに、給水管からの上水を中水補給管を通じて浴槽へ逆流させて配管の洗浄を行う。配管洗浄後の水は、栓の外れた浴槽の排水口から浴槽外へ排水される。
【００１９】
［７］前記制御部は、前記中水補給管の洗浄中に前記水位センサの検出水位が上昇した場合は、所定の警告を行う
ことを特徴とする［６］に記載の浴槽水利用装置。
【００２０】
上記発明では、配管洗浄のために給水管からの上水を中水補給管を通じて浴槽へ逆流させたことで浴槽内の水位が上昇した場合は、配管洗浄の途中で浴槽の栓が閉じられたと判断して、所定の警告をする。たとえば、栓を開く旨の警告、あるいは、浴槽内に配管洗浄中の汚い水が排水されたことを通知する警告、などを行う。
【００２１】
［８］前記逆流防止機能付き電磁弁は、上水が断水した状態で出側から逆流した水を排出する排出口を備え、
前記排出口から流出する水が所定の排水箇所へ排水されるようにした
ことを特徴とする［１］乃至［７］のいずれか１つに記載の浴槽水利用装置。
【００２２】
［９］前記排水部は、前記タンク内の水をトイレの便器の洗浄水として排水する
ことを特徴とする［１］乃至［８］のいずれか１つに記載の浴槽水利用装置。
【００２３】
上記発明では、浴槽水がトイレの洗浄に再利用される。
【００２４】
［１０］前記タンクは、前記トイレの天井裏に設置される
ことを特徴とする［９］に記載の浴槽水利用装置。
【発明の効果】
【００２５】
本発明に係る浴槽水利用装置によれば、浴槽からタンクへ浴槽水を移送するための配管の中を洗浄して清潔に保つことができる。
【図面の簡単な説明】
【００２６】
【図１】本発明の第１の実施の形態に係る浴槽水利用装置の構成および設置状態を示す図である。
【図２】逆流防止機能付き電磁弁の構成と動作を示す図である。
【図３】図１に示す浴槽水利用装置の配管洗浄に関連する部分の構成を抜き出して示す図である。
【図４】リモコンの一例を示す正面図である。
【図５】風呂給湯器が行う風呂の自動運転の処理の概要を示す流れ図である。
【図６】浴槽水利用装置が行う処理全体の概要を示す流れ図である。
【図７】配管洗浄処理（図６のステップＳ２０４）の詳細を示す流れ図である。
【図８】タンク補給処理（図６のステップＳ２０８）の詳細を示す流れ図である。
【図９】トイレ暖房処理（図６のステップＳ２０９）の詳細を示す流れ図である。
【図１０】排水処理（図６のステップＳ２１０）の詳細を示す流れ図である。
【図１１】第２の実施の形態に係る浴槽水利用装置の構成および設置状態を示す図である。
【図１２】取水口を浴槽の底部に設けた例を示す図である。
【発明を実施するための形態】
【００２７】
以下、図面に基づき本発明の各種実施の形態を説明する。
【００２８】
図１は、本発明の第１の実施の形態に係る浴槽水利用装置１０の構成および設置状態を示している。浴槽水利用装置１０は、浴槽２内の湯水（以後、浴槽水とも言う）を天井裏のタンクにポンプ１１で汲み上げて貯めておき、このタンク内の水をトイレの便器３の洗浄水等に利用する機能を備えている。
【００２９】
浴槽水利用装置１０は、トイレの天井裏等の高所に設置されるタンク１２と、浴槽２から浴槽水をタンク１２へ汲み上げるポンプ１１と、浴槽２内の水位を検出する浴槽水位センサ１３と、タンク１２内の水位を検出するタンク水位センサ１４と、タンク１２内の湯水の温度を検出する温度センサ１５と、タンク１２内の湯水を便器３の洗浄水として排水するための排水部１６と、タンク１２内の湯水の熱でトイレを暖房するための放熱部１７と、浴槽水利用装置１０の動作を制御する制御基板１８を備えて構成される。
【００３０】
トイレの室内には浴槽水利用装置１０のリモートコントローラ４０（以後、リモコン４０とする）が設けてある。リモコン４０は、タンク１２から便器３へ洗浄水を流す指示（中水排水指示とする）等を利用者から受け付ける機能を果たす。
【００３１】
タンク１２の容量は、たとえば、６０リットル程度にされる。便器３の洗浄水の水量を１５リットルとした場合、４回の洗浄が可能な水量をタンク１２に貯めることができる。節水型の便器３を使用すれば、より多くの回数の洗浄が可能になる。なお、節水型の便器３を使用する場合はタンク１２の容量を小さくしてもよい。タンク１２は保温構造にされている。タンク１２内の湯を利用して便器３を洗浄するので、冷たい水で洗浄する場合に比べて、高い洗浄力を得ることができる。
【００３２】
タンク１２と浴槽２の取水口２ａは、浴槽水の汲み上げ経路となる配管（中水補給管２１とする）で接続されている。浴槽水位センサ１３およびポンプ１１は中水補給管２１に介挿されている。この例では、浴槽水位センサ１３およびポンプ１１は浴槽２の取水口２ａの近傍に、すなわち、取水口２ａと同程度の（もしくは取水口２ａより低い）高さの低所に設けてある。これにより、浴槽２からポンプ１１へ容易に呼び水を取り込むことができる。
【００３３】
中水補給管２１のうちタンク１２の近傍には当該中水補給管２１を開通状態と閉鎖状態に切り替える電磁弁（逆流防止機能付き電磁弁８０Ｂ）が設けてある。
【００３４】
また、タンク１２には上水給水管２３を通じて所定の給水源から上水を補給することができる。浴槽水が不足した場合に上水給水管２３から上水がタンク１２に補給される。上水給水管２３と中水補給管２１は逆流防止機能付き電磁弁８０Ａを介して接続されており、中水補給管２１を洗浄する際には、上水給水管２３からの上水を逆流防止機能付き電磁弁８０Ａを介して中水補給管２１に流して浴槽２へ排出するようになっている。逆流防止機能付き電磁弁８０Ａ、８０Ｂの周辺の配管の接続の詳細については後述する。
【００３５】
タンク１２の底部には排水口が設けてある。該排水口には便器３の洗浄水の流入口に通じた排水配管２６が接続されている。排水配管２６の途中にタンク１２内の湯水を便器３の洗浄水として排水するための排水部１６が設けてある。排水部１６は、排水配管２６を流れる水の量を検出するフローセンサ２７と、該フローセンサ２７と直列にして排水配管２６に介挿された排水電磁弁２８と、排水電磁弁２８に並列に設けられた手動フラッシュ弁２９を備えている。
【００３６】
排水電磁弁２８は排水配管２６を開通状態と閉鎖状態に切り替える。浴槽水利用装置１０は、リモコン４０の中水排水釦４４（図４参照）から中水排水指示を受けた場合に、排水電磁弁２８を開いてタンク１２内の水を洗浄水として便器３へ排水する。このとき、排水量をフローセンサ２７で検出し、予め定めた水量に達したら排水電磁弁２８を閉じるように制御する。１回の中水排水指示に対する排水量は、リモコン４０等で予め設定可能になっている。
【００３７】
手動フラッシュ弁２９は、利用者から手動の操作を受けて、排水配管２６を開通状態と閉鎖状態に切り替える弁であって、一回の排水操作で所定量の水を流した後、自動的に閉じる機能を有する。
【００３８】
タンク１２内の湯水の熱でトイレを暖房する放熱部１７は、タンク１２内の熱を放熱する熱交換器３１とファン３２を備えて構成される。熱交換器３１は、熱交換用の水管とこの水管に外周面に多数設けられたフィンとから構成される。水管の両端はタンク１２に開口している。
【００３９】
トイレの天井には、熱交換器３１の設置箇所に対応する位置に通気口３３が設けてある。ファン３２で発生させた空気流は熱交換器３１を経て通気口３３からトイレの室内へ送り込まれる。熱交換器３１としてヒートパイプを使用してもかまわない。タンク１２内の湯水は自然対流によって熱交換器３１の中を流れる。なお、近年の住宅は断熱性能が高く、また、トイレは狭いので、放熱部１７の暖房能力は小さくてよい。
【００４０】
トイレの中（たとえば、天井）には、人がトイレの中に居ることを検出する人感センサ３５が設けてある。また、トイレには、トイレ内の空気を屋外へ排出して換気するための換気ファン３７が設けてある。放熱部１７でトイレを暖房するとき、人がトイレに居ることが人感センサ３５で検出されたら、放熱部１７のファン３２を止めてトイレの換気ファン３７を動作させ、人が居なくなったら換気ファン３７を止めて放熱部１７のファン３２を動作させる、といった制御が行われる。換気ファン３７を停止させることでタンク１２内の湯水の熱でトイレを効果的に暖房することができる。
【００４１】
このほか、タンク１２に消臭装置や殺菌装置を取り付けてもよい。消臭装置はタンク１２に貯めた浴槽水が発する臭いを消臭する。消臭装置は、臭いをマスキングするタイプでも臭いを分解するタイプでもよい。殺菌装置は、タンク１２に貯めた浴槽水の殺菌、雑菌の抑制、抗菌等を行う装置である。タンク１２を構成する樹脂部材（躯体）に抗菌剤を練り込むようなものでもかまわない。
【００４２】
また、臭い対策等として、タンク１２内の空気を屋外へ排気するための換気ダクト５１が設けてある。換気ダクト５１の一端はタンク１２の上蓋に開口しており、他端は屋外に開放されている。換気ダクト５１の他端には換気ファン５２が取り付けてある。
【００４３】
また、タンク１２には、タンク１２内の水を屋外で散水・洗車などに利用可能とするための屋外排水配管５４が接続されている。屋外排水配管５４の一端はタンク１２内の下部に開口し、他端には屋外の出水栓５５が取り付けられている。タンク１２は高所に設けてあるので、高低差で出水圧を確保することができる。
【００４４】
浴槽水位センサ１３やタンク水位センサ１４には、圧力（水圧）センサ、水流スイッチ、フロートスイッチ、電極棒など各種のセンサの中から適宜のものを選択して使用すればよい。なお、浴槽水位センサ１３は圧力センサが適する。
【００４５】
制御基板１８は、ＣＰＵ（Central Processing Unit）とＲＯＭ（Read Only Memory）とＲＡＭ（Random Access Memory）を主要部とする回路で構成され、ＲＯＭに格納されているプログラムをＣＰＵが実行することで浴槽水利用装置１０の制御を行う。制御基板１８には、浴槽水位センサ１３、タンク水位センサ１４、温度センサ１５、フローセンサ２７、人感センサ３５などが接続され、これらから出力された検出信号が入力される。また制御基板１８にはポンプ１１、逆流防止機能付き電磁弁８０Ａ、８０Ｂ、排水電磁弁２８、放熱部１７のファン３２、換気ファン３７、換気ファン５２の制御信号線が接続され、それぞれのオンオフを制御する。さらに制御基板１８にはリモコン４０が接続されている。
【００４６】
浴槽水利用装置１０は、常時は商用電源から電力の供給を受けて動作する。なお、停電に備えて、ポンプ１１は乾電池などのバッテリーで動作可能、あるいは手動で動作可能にされてもよい。
【００４７】
図２は、逆流防止機能付き電磁弁８０の構成例を示している。図１に示す逆流防止機能付き電磁弁８０Ａ、８０Ｂは図２に示すものと同一構成である。
【００４８】
逆流防止機能付き電磁弁８０は、上水系と中水などの他の系とが直接接続される、所謂、クロスコネクションを防止する機能を備えた電磁弁である。
【００４９】
逆流防止機能付き電磁弁８０は、上水の給水管が接続される入口８１と、他の系の配管が接続される出口８２と、他の系の配管から逆流してきた水を排水する排水口８３を備えている。
【００５０】
内部には、電磁弁８４と、第１弁８５と、第２弁８６と、第３弁８７を備えている。入口８１と出口８２の間の通水路に、入口８１側から順に、電磁弁８４、第１弁８５、第２弁８６が直列に配列されている。電磁弁８４、第１弁８５、第２弁８６はそれぞれ通水路を開閉する。
【００５１】
第１弁８５、第２弁８６は、通水路を閉じる方向にバネで付勢されており、給水管から入口８１に上水が供給されて水圧がかかった状態で電磁弁８４を開くと、上水の水圧によって第１弁８５が開き、さらにその後段の第２弁８６も開く。
【００５２】
排水口８３は排水路を通じて第１弁８５と第２弁８６の間に通じており、第３弁８７は該排水路に介挿されて該排水路を開閉する。第３弁８７は開く方向にバネで付勢されている。給水管から入口８１に上水が供給されて第３弁８７の操作部に水圧がかかると第３弁８７が閉じ、上水が断水して第３弁８７の操作部に水圧がかからなくなると第３弁８７が開くようになっている。
【００５３】
図２（ａ）は、断水時の状態を示している。断水すると第３弁８７が開くので、仮に出口８２側から中水が逆流してきても排水口８３へ排出される。図２（ｂ）は、上水が供給された通常状態で電磁弁８４を開いた状態を示している。図２（ｃ）は通常状態で電磁弁８４を閉じた状態を示している。図中、水の流れを破線で示してある。
【００５４】
図３は、図１に示す浴槽水利用装置１０のうち、逆流防止機能付き電磁弁８０Ａ、８０Ｂの周辺の配管接続について詳しく示した図である。図１と同一部分には同一の符号を付してある。
【００５５】
浴槽水利用装置１０は、順方向の入口８１に上水給水管２３が接続された逆流防止機能付き電磁弁８０Ａと、逆流防止機能付き電磁弁８０Ａの出口８２に一端が接続され、他端が中水補給管２１のタンク１２側の端部近傍に合流された上水送出管９１と、中水補給管２１のうちの上水送出管９１の合流箇所とタンク１２側の端部との間に介挿されて中水補給管２１を開閉する第２の逆流防止機能付き電磁弁８０Ｂとを備えている。
【００５６】
さらに浴槽水利用装置１０は、上水送出管９１から分岐してタンク１２内に通じた上水補給管９２と、上水補給管９２の分岐箇所と、中水補給管２１の合流箇所との間で上水送出管９１に介挿されて上水送出管９１を開閉する上水送出管開閉電磁弁９３を備えている。
【００５７】
また、逆流防止機能付き電磁弁８０Ａの排水口８３には、便器３へ通じた第１の排水管９４が接続され、第２の逆流防止機能付き電磁弁８０Ｂの排水口８３には、便器３へ通じた第２の排水管９５が接続されている。
【００５８】
中水補給管２１を洗浄する際には、逆流防止機能付き電磁弁８０Ａの電磁弁８４を開くと共に上水送出管開閉電磁弁９３を開く。これにより、上水給水管２３からの上水が上水送出管９１、中水補給管２１を通じて浴槽２内へ流れ出て、中水補給管２１が洗浄される。
【００５９】
浴槽水をポンプ１１でタンク１２へ汲み上げて補給するときは、上水送出管開閉電磁弁９３を閉じ、第２の逆流防止機能付き電磁弁８０Ｂの電磁弁８４を開き、ポンプ１１を動作させる。上水をタンク１２に補給するときは、上水送出管開閉電磁弁９３を閉じて、逆流防止機能付き電磁弁８０Ａの電磁弁８４を開く。
【００６０】
上水送出管９１側から逆流防止機能付き電磁弁８０Ａの出口８２へ水が逆流した場合、その逆流した水は、逆流防止機能付き電磁弁８０Ａの排水口８３から第１の排水管９４を通じて便器３へ排水される。タンク１２内の水が第２の逆流防止機能付き電磁弁８０Ｂの出口８２へ逆流した場合、その逆流した水は、第２の逆流防止機能付き電磁弁８０Ｂの排水口８３から第２の排水管９５を通じて便器３へ排水される。これにより、タンク１２内の水が浴槽２へ逆流することが防止される。なお、上水送出管開閉電磁弁９３は、配管洗浄処理において開くときを除き、常時は閉じた状態に維持される。
【００６１】
ここでは、第２の逆流防止機能付き電磁弁８０Ｂの出口８２からタンク１２へ至る中水補給管２１の出口は、タンク１２の低所に開口している。たとえば、タンク１２の底に設けた取水口に中水補給管２１の出口と排水配管２６の入口が共通に接続される。このような構成では、中水補給管２１の出口がタンク１２内の水と縁切りがされていないので、第２の逆流防止機能付き電磁弁８０Ｂを設けて、タンク１２内の水が浴槽２へ逆流しないようにしている。
【００６２】
図４は、リモコン４０の一例を示している。リモコン４０は表示部４１と、各種の操作釦を備えている。操作釦には、運転釦４２、設定釦４３、中水排水釦４４、上水排水釦４５、配管洗浄釦４６、設定値等を増減させるための上下キー４７、トイレ暖房釦４９などがある。また、中水排水釦４４、上水排水釦４５、配管洗浄釦４６の各右斜め上の近傍には、対応する釦がオンにされてその機能に係る動作が実行中の間に点灯されるランプ４８が設けてある。
【００６３】
運転釦４２は浴槽水利用装置１０の運転をオンオフするための操作釦である。設定釦４３は各種の動作条件を設定する設定モードに入るための操作釦である。たとえば、１回の中水排水指示に対してタンク１２から排水する洗浄水の水量、トイレの暖房設定温度、配管洗浄の時間間隔（設定運転時間）などが設定される。
【００６４】
中水排水釦４４は、タンク１２から便器３へ洗浄水を流す指示を使用者から受けるための操作釦である。上水排水釦４５は、便器３の洗浄に上水を使用することを指示する操作釦である。上水排水釦４５がオンにされると、浴槽水をタンク１２へ汲み上げる動作は行われなくなり、タンク１２内の水が減った場合に、上水給水管２３から上水がタンク１２へ補給されるようになる。
【００６５】
配管洗浄釦４６は、利用者から中水補給管２１の洗浄指示を受け付ける操作釦である。配管の自動洗浄が長期間行われない場合でも、配管洗浄釦４６を操作することで配管を洗浄することができる。
【００６６】
トイレ暖房釦４９はタンク１２内の湯水の熱でトイレを暖房するか否かを切り替えるスイッチである。
【００６７】
リモコン４０の表示部４１には、タンク１２に貯められた湯水（中水とする）を便器３へ排水した回数、タンク１２内の残り水量、各種の警告や操作案内などが表示される。
【００６８】
次に、浴槽水利用装置１０の動作について説明する。
【００６９】
浴槽水利用装置１０は、浴槽２への湯張りおよび保温（追い焚き）を行う風呂給湯器から風呂の自動運転の終了を示す情報を受け取ることで、入浴が終了して、浴槽２内の湯水を浴槽水利用装置１０側で利用可能となったことを認識する。まず、風呂給湯器が行う風呂の自動運転について簡単に説明する。
【００７０】
図５は、風呂給湯器が行う風呂の自動運転の処理の概要を示している。風呂給湯器は、自動運転がＯＮにされたら、湯張り終了フラグをリセット（ＯＦＦ）する（ステップＳ１０１）。湯張り終了フラグは、ＯＮのとき風呂の自動運転が終了したこと、すなわち、浴槽２への入浴が完了し、浴槽２内の残り湯を浴槽水利用装置１０が利用可能となったことを示す。湯張り終了フラグがＯＦＦのときは、浴槽２内の浴槽水を浴槽水利用装置１０が汲み上げて利用できないことを示している。
【００７１】
次に、風呂給湯器は、４時間保温タイマーをスタートさせる（ステップＳ１０２）。風呂給湯器は、風呂の自動運転を、運転開始から所定時間（ここでは４時間）が経過したときに自動的に終了させる機能を備えており、４時間保温タイマーはそのためのタイマーである。
【００７２】
次に、風呂給湯器は、浴槽２へ設定水位まで湯張りを行い、浴槽２内の湯が設定温度になるまで追い焚きする（ステップＳ１０３）。その後は、浴槽２内の湯の水位と温度が設定水位・設定温度に維持されるように注湯や追い焚きを適宜実行する（ステップＳ１０４；Ｎｏ、ステップＳ１０５；Ｎｏ）。
【００７３】
風呂給湯器は、風呂の自動運転中に浴槽２内の水位が急減少した（浴槽の栓が抜かれた）ことを検知したとき（ステップＳ１０４；Ｙｅｓ）、もしくは風呂の自動運転を開始してから所定時間が経過した（４時間保温タイマーがタイムアップした）とき（ステップＳ１０５；Ｙｅｓ）、湯張り終了フラグをＯＮにして（ステップＳ１０６）、風呂の自動運転を終了する。なお、手動操作で自動運転がＯＦＦにされたときも、湯張り終了フラグをＯＮにして風呂の自動運転を終了させるようになっている。
【００７４】
図６は、浴槽水利用装置１０が行う処理全体の概要を示している。浴槽水利用装置１０は、浴槽２内の残り湯をタンク１２に汲み上げる機能、浴槽２内の湯水を利用できない場合等に上水をタンク１２へ補給する機能、タンク１２内の湯水をトイレの便器３の洗浄水として排水する機能、中水補給管２１を上水で洗浄する機能、タンク１２内の湯水の熱でトイレを暖房する機能などを備えている。
【００７５】
浴槽水利用装置１０は、図６に示す処理を、電源がＯＮの間、継続的に繰り返し実行する。まず、リモコン４０の運転釦４２がＯＮされているか否かを調べ（ステップＳ２０１）、運転釦４２がＯＦＦの間は（ステップＳ２０１；Ｎｏ）、タンク１２の水位が最高水位となるように、上水をタンク１２に補給する（ステップＳ２０２）。
【００７６】
具体的には、タンク水位センサ１４の検出水位がタンク１２の最高水位か否かを調べ、最高水位でなければ、逆流防止機能付き電磁弁８０Ａの電磁弁８４を開き、最高水位ならば逆流防止機能付き電磁弁８０Ａの電磁弁８４を閉じるといった制御を、運転釦４２がＯＦＦの間、繰り返し行う。なお、運転釦４２がＯＦＦの状態であっても手動フラッシュ弁２９を操作することでタンク１２から排水して便器３を洗浄することができる。
【００７７】
リモコン４０の運転釦４２がＯＮならば（ステップＳ２０１；Ｙｅｓ）、配管洗浄フラグがＯＮか否かを調べる（ステップＳ２０３）。配管洗浄フラグがＯＮならば（ステップＳ２０３；Ｙｅｓ）、配管洗浄処理を行って（ステップＳ２０４）、ステップＳ２０９へ移行する。
【００７８】
配管洗浄フラグがＯＦＦならば（ステップＳ２０３；Ｎｏ）、タンク水位センサ１４の検出するタンク１２内の水位が最高水位か否かを調べる（ステップＳ２０５）。最高水位であれば（ステップＳ２０５；Ｙｅｓ）、その旨を、リモコン４０の表示部４１に表示する（ステップＳ２０６）。たとえば、「タンク満水」等の表示を行う。そして、中水排水カウンタを０にリセットして（ステップＳ２０７）、ステップＳ２０９へ移行する。中水排水カウンタは、タンク１２に浴槽水または上水を補給してタンク１２を最高水位にしてからリモコン４０の中水排水釦４４の操作に応じて便器３を洗浄した回数を示すカウンタである。
【００７９】
タンク水位センサ１４の検出するタンク１２内の水位が最高水位でなければ（ステップＳ２０５；Ｎｏ）、タンク１２に浴槽水もしくは上水を補給するタンク補給処理を実行し（ステップＳ２０８）、ステップＳ２０９へ移行する。
【００８０】
ステップＳ２０９では、タンク１２内の湯水の熱でトイレを暖房するトイレ暖房処理を行う。
【００８１】
次に、リモコン４０の中水排水釦４４の押下に応じてタンク１２内の湯水を洗浄水として便器３に排水する排水処理を行う（ステップＳ２１０）。
【００８２】
次に、上水排水釦４５がＯＮか否かを調べる（ステップＳ２１１）。上水排水釦４５がＯＮならば（ステップＳ２１１；Ｙｅｓ）、上水排水フラグをＯＮにセットして（ステップＳ２１２）ステップＳ２１４へ移行する。上水排水釦４５がＯＦＦならば（ステップＳ２１１；Ｎｏ）、上水排水フラグをＯＦＦにセットして（ステップＳ２１３）ステップＳ２１４へ移行する。なお、上水排水フラグがＯＮにされているときは、浴槽水が利用可能か否かに係らず、タンク補給処理において上水がタンク１２へ補給される。
【００８３】
ステップＳ２１４では、中水利用連続運転時間が予め定めた設定運転時間未満か否かを調べる。中水利用連続運転時間は、前回、中水補給管２１を洗浄してからの経過時間である。中水利用連続運転時間は制御基板１８のＣＰＵ等が計時する。
【００８４】
中水利用連続運転時間が設定運転時間以上ならば（ステップＳ２１４；Ｎｏ）、配管洗浄フラグをＯＮにし（ステップＳ２１５）、ステップＳ２０１に戻って処理を継続する。中水利用連続運転時間が設定運転時間未満ならば（ステップＳ２１４；Ｙｅｓ）、ステップＳ２０１に戻って処理を継続する。
【００８５】
図７は、配管洗浄処理（図６のステップＳ２０４）の詳細を示している。浴槽水利用装置１０では、上水給水管２３からの上水を直接、中水補給管２１に流す。配管洗浄では、中水補給管２１を洗浄した汚れた水を浴槽２内に排出するので、浴槽２の栓が抜けた状態で配管洗浄を行う必要がある。ここでは、栓が抜かれていることを、浴槽水位の急減少によって検出し、栓が抜かれているタイミングで上水給水管２３から供給される上水を中水補給管２１を通じて取水口２ａから浴槽２へ排出して中水補給管２１内を洗浄する。中水補給管２１を洗浄した汚い水は浴槽２の排水口から外部へ排出される。
【００８６】
浴槽水位の急減少とは、通常の蒸発や栓をした排水口からの漏れなどによる少しずつの水位低下は含まない。具体的には、浴槽の排水口として想定される最も小さい径の排水口から浴槽水が排水された場合の浴槽水位の低下速度を基準とし、この低下速度より一定の余裕量だけ遅い低下速度を閾値として急減少を判定する。たとえば、ここでは、５ｃｍ／分以上の速度で一定時間連続して水位が低下した場合を浴槽水位の急減少として検出する。
【００８７】
なお、中水補給管２１の洗浄中に、浴槽２の水位が上昇した場合は、浴槽２の排水口に栓がされたと認識し、リモコン４０の表示部４１に「浴槽の栓を開にしてください」といった警告を表示する。
【００８８】
ところで、風呂の自動運転が終了した後も浴槽２に水を入れたままにしておき、災害時の水の備蓄として浴槽水を利用したいと考えるユーザもいる。このようなユーザは、翌日の湯張り直前に浴槽２の栓を抜くので、浴槽２の栓が抜かれたことを検知して配管洗浄を自動的に開始する動作はこのようなユーザにとって不便である。そこで、浴槽２に湯を張ってから（水位検知してから）１５時間から２４時間の間は、配管の自動洗浄を禁止するように制御してもよい。
【００８９】
図７に沿って配管洗浄処理の詳細を説明する。
【００９０】
まず、浴槽２の水位が急減少中か否かを調べ（ステップＳ３０２）、急減少中でなければ（ステップＳ３０２；Ｎｏ）、本処理を一旦終了する（リターン）。浴槽２の水位が急減少中ならば（ステップＳ３０２；Ｙｅｓ）、浴槽２の水位が所定水位未満（浴槽水位なし）になるのを待つ（ステップＳ３０３；Ｙｅｓ）。
【００９１】
浴槽水位なしまで浴槽２の水位が低下したら（ステップＳ３０３；Ｎｏ）、逆流防止機能付き電磁弁８０Ａの電磁弁８４を開き、上水送出管開閉電磁弁９３を開く（ステップＳ３０４）。これより、上水が中水補給管２１を通じて浴槽２へ流出して中水補給管２１内が洗浄される。
【００９２】
このとき、浴槽水位ありになった場合は（ステップＳ３０５；Ｙｅｓ）、上水を中水補給管２１から浴槽２へ排出したことによって浴槽２の水位が上昇したので、浴槽２の栓が閉じられたと推定できる。そこで、「浴槽の栓を開いてください」といった警告をリモコン４０の表示部４１に表示して（ステップＳ３０６）、逆流防止機能付き電磁弁８０Ａの電磁弁８４を閉じ、上水送出管開閉電磁弁９３を閉じて（ステップＳ３０７）、ステップＳ３０５に戻る。警告表示は、浴槽水位なしになるまで継続される。
【００９３】
浴槽水位なしならば（ステップＳ３０５；Ｎｏ）、洗浄時間が、予め設定された設定洗浄時間に達したか否かを調べる（ステップＳ３０８）。設定洗浄時間の洗浄が完了していなければ（ステップＳ３０８；Ｎｏ）ステップＳ３０４へ移行して、上水による中水補給管２１の洗浄を継続する。
【００９４】
設定洗浄時間が完了した場合は（ステップＳ３０８；Ｙｅｓ）、逆流防止機能付き電磁弁８０Ａの電磁弁８４を閉じ、上水送出管開閉電磁弁９３を閉じる（ステップＳ３０９）。次に、配管洗浄フラグをＯＦＦにし、中水利用連続運転時間を０にリセットして（ステップＳ３１０）、本処理を終了する（リターン）。
【００９５】
リモコン４０の配管洗浄釦４６が操作された場合（手動の配管洗浄指示を受けた場合）は、配管洗浄フラグをＯＮにし（ステップＳ３０１）、ステップＳ３０２へ移行する。
【００９６】
なお、上水送出管開閉電磁弁９３は、配管洗浄処理において開くときを除き、常時は閉じた状態に維持される。
【００９７】
図８は、タンク補給処理（図６のステップＳ２０８）を示している。タンク補給処理では、タンク１２内の水量が一定以上減っている場合に、浴槽２から浴槽水をタンク１２へ汲み上げて補給する、もしくは、上水給水管２３を通じて上水をタンク１２へ補給する。本処理では、浴槽２からタンク１２へ浴槽水を汲み上げる動作は、風呂の自動運転が終了していることを条件として、以下のタイミングで行われる。
【００９８】
（１）風呂の自動運転が終了した直後
（２）浴槽水位が急減少したとき
（３）中水排水による便器３の洗浄が２回行われる毎
ここでは（１）の補給動作は、タンク１２内の水量が一定以上減っている場合のみ行う。ただし、タンク１２内の水量が一定以上減っていなくても、風呂の自動運転が終了した直後に浴槽水を汲み上げてタンク１２を最高水位にするように構成されてもよい。
【００９９】
上水の補給は、浴槽水を利用できない（風呂の自動運転が終了していない、または浴槽水位がない）場合、上水排水モードに設定されている場合に行われる。
【０１００】
風呂の自動運転が終了した直後にタンク１２に浴槽水を補給することで、まだ暖かい風呂の残り湯をタンク１２に補給することができ、後述するタンク１２内の湯の熱を利用したトイレ暖房を効率的に行うことができる。
【０１０１】
図８のタンク補給処理の詳細を説明する。まず、浴槽２に一定以上の浴槽水がある（浴槽水位あり）か否かを調べる（ステップＳ４０１）。浴槽水位なしならば（ステップＳ４０１；Ｎｏ）、中水排水カウンタが３以上か否かを調べ、３以上でなければ（ステップＳ４０２；Ｎｏ）、タンク１２に水がまだあるので、水を補給せずに本処理を終了する（リターン）。
【０１０２】
浴槽水位なし（ステップＳ４０１；Ｎｏ）かつ中水排水カウンタが３以上ならば（ステップＳ４０２；Ｙｅｓ）、タンク１２に上水を補給してタンク１２の水位を最高水位にする（ステップＳ４０３）。具体的には、上水送出管開閉電磁弁９３を閉じた状態で逆流防止機能付き電磁弁８０Ａの電磁弁８４を開き、タンク水位センサ１４が最高水位を検出したら逆流防止機能付き電磁弁８０Ａの電磁弁８４を閉じる。そして、中水排水カウンタを０にリセットして（ステップＳ４０４）、本処理を終了する（リターン）。
【０１０３】
浴槽２に一定以上の浴槽水がある（浴槽水位あり）ならば（ステップＳ４０１；Ｙｅｓ）、浴槽２の水位が急減少中か否かを調べる（ステップＳ４０５）。浴槽２の水位が急減少中でなければ（ステップＳ４０５；Ｎｏ）、中水排水カウンタが２以上か否かを調べる（ステップＳ４０６）。中水排水カウンタが２以上でなければ（ステップＳ４０６；Ｎｏ）、タンク１２に水がまだあるので、水を補給せずに本処理を終了する（リターン）。
【０１０４】
中水排水カウンタが２以上の場合（ステップＳ４０６；Ｙｅｓ）、もしくはステップＳ４０５で浴槽２の水位が急減少中の場合（ステップＳ４０５；Ｙｅｓ）は、上水排水フラグがＯＮか否かを調べる（ステップＳ４０７）。上水排水フラグがＯＮならば（ステップＳ４０７；Ｙｅｓ）、上水排水釦４５が操作されて上水排水モードに設定されているので、ステップＳ４０３へ移行する。
【０１０５】
上水排水フラグがＯＮでなければ（ステップＳ４０７；Ｎｏ）、湯張り終了フラグがＯＮか否かを調べる（ステップＳ４０８）。湯張り終了フラグがＯＮでなければ（ステップＳ４０８；Ｎｏ）、風呂の自動運転が終了していないので（運転中）、ステップＳ４０２へ移行し、中水排水カウンタが３以上ならばタンク１２へ上水を補給する処理を行う。
【０１０６】
湯張り終了フラグがＯＮならば（ステップＳ４０８；Ｙｅｓ）、浴槽２から浴槽水を汲み上げてタンク１２に補給する。詳細には、ポンプ１１を運転し中水補給管２１に介挿されている第２の逆流防止機能付き電磁弁８０Ｂの電磁弁８４を開く（ステップＳ４０９）。その後、タンク１２内の水位が最高水位に達したら（ステップＳ４１０；Ｙｅｓ）、ポンプ１１を停止させ、第２の逆流防止機能付き電磁弁８０Ｂの電磁弁８４を閉じる（ステップＳ４１２）。さらに、中水排水カウンタを０にリセットして（ステップＳ４１３）、本処理を終了する（リターン）。
【０１０７】
タンク１２内の水位が最高水位に達する前に（ステップＳ４１０；Ｎｏ）、浴槽２内の浴槽水が無くなった（浴槽水位なしになった）場合は（ステップＳ４１１；Ｎｏ）、ポンプ１１を停止させ、第２の逆流防止機能付き電磁弁８０Ｂの電磁弁８４を閉じた後（ステップＳ４１４）、ステップＳ４０２へ移行して上水補給に切り替える。
【０１０８】
次に、トイレ暖房について説明する。
【０１０９】
浴槽水利用装置１０はタンク１２内の湯水の熱を利用してトイレを暖房する。具体的には、タンク１２内の湯水の熱を放熱する熱交換器３１にファン３２で風を送り、その風をトイレの天井に設けた通気口３３からトイレの室内に送り出して暖房する。また、トイレの換気ファン３７と放熱部１７のファン３２の動作を制御してトイレ使用時の換気と効率的な暖房の両立を図っている。
【０１１０】
具体的には、人感センサ３５で人を検知し、トイレ使用中および使用後所定時間が経過するまでは、換気ファン３７を動作させて換気し、放熱部１７のファン３２を停止（暖房を停止）させる。他の期間では換気ファン３７を停止させる。また、他の期間では、タンク１２内の湯水の温度が暖房可能な温度以上であれば、放熱部１７のファン３２を動作させてトイレを暖房するようになっている。
【０１１１】
トイレ暖房を行う場合、タンク１２は保温構造にすることが好ましい。
【０１１２】
図９はトイレ暖房処理（図６のステップＳ２０９）の詳細を示している。この処理は図６の処理が一巡する毎に繰り返し実行される。トイレに設けた人感センサ３５がＯＮ（人を検知）になっている場合は（ステップＳ５０１；Ｙｅｓ）、換気ファン３７を動作させ（ステップＳ５０４）、放熱部１７のファン３２を停止させて（ステップＳ５０５）、本処理を終了する（リターン）。
【０１１３】
人感センサ３５がＯＦＦ（人を検知せず）になっている場合は（ステップＳ５０１；Ｎｏ）、リモコン４０のトイレ暖房釦４９によりトイレ暖房がＯＮに設定されているか否かを調べる（ステップＳ５０２）。トイレ暖房がＯＮに設定されている場合は（ステップＳ５０２；Ｙｅｓ）、タンク１２内の水温（温度センサ１５の検出温度）が、暖房設定温度に所定温度（たとえば、１０℃）を加えた温度（暖房可能温度とする）より高いか否かを調べる（ステップＳ５０３）。
【０１１４】
タンク１２内の水温（温度センサ１５の検出温度）が暖房可能温度以下の場合は（ステップＳ５０３；Ｎｏ）、放熱部１７のファン３２をＯＦＦにして（ステップＳ５０５）、本処理を終了する（リターン）。
【０１１５】
タンク１２内の水温（温度センサ１５の検出温度）が暖房可能温度より高い場合は（ステップＳ５０３；Ｙｅｓ）、人感センサ３５がＯＦＦになってから所定時間が経過しているか否かを調べる（ステップＳ５０６）。人感センサ３５がＯＦＦになってから所定時間が経過していない場合は（ステップＳ５０６；Ｎｏ）、換気中なので、暖房せずに本処理を終了する（リターン）。人感センサ３５がＯＦＦになってから所定時間が経過している場合は（ステップＳ５０６；Ｙｅｓ）、換気ファン３７をＯＦＦにし（ステップＳ５０７）、放熱部１７のファン３２をＯＮにして（ステップＳ５０８）トイレの暖房を行って、本処理を終了する（リターン）。所定時間はリモコン４０等にて任意に設定変更可能にされている。たとえば、３分から１０分の間で設定可能にされる。
【０１１６】
トイレ暖房がＯＦＦに設定されている場合は（ステップＳ５０２；Ｎｏ）、放熱部１７のファン３２をＯＦＦにする（ステップＳ５０９）。そして、人感センサ３５がＯＦＦになってから所定時間が経過していない場合は（ステップＳ５１０；Ｎｏ）、本処理を終了して（リターン）換気を継続し、人感センサ３５がＯＦＦになってから所定時間が経過している場合は（ステップＳ５１０；Ｙｅｓ）、トイレの換気ファン３７をＯＦＦにして（ステップＳ５１１）換気を停止させて、本処理を終了する（リターン）。
【０１１７】
このように、使用時以外はトイレの換気ファン３７を停止させるので、タンク１２内の湯の熱を利用してトイレを効率的に暖房することができる。また、トイレ使用中および使用後の所定時間が換気ファン３７を動作させて換気を確保すると共に、この間、放熱部１７のファン３２を停止させるので、タンク１２内の熱が無駄に放出されなくなり、タンク１２内の湯水の熱を有効に利用することができる。
【０１１８】
次に、タンク１２の湯水を排水して便器３を洗浄する排水処理について説明する。
【０１１９】
排水処理では、リモコン４０の中水排水釦４４が押下されたらタンク１２内の水を設定量だけ便器３へ排水する。排水中に、タンク１２内の水が不足した場合は、タンク１２に上水を補給しながら排水を継続し、設定量の排水が完了した後に、タンク１２が最高水位になるまで上水をタンク１２に補給する。このケースは、停電からの復旧後などに生じ得る。
【０１２０】
浴槽水利用装置１０は、タンク１２に上水または浴槽水を最高水位まで補給した場合に中水排水カウンタを０にリセットし、中水排水釦４４の操作によって便器３を洗浄する毎に中水排水カウンタを＋１し、中水排水カウンタが２以上になったら再びタンク１２に上水または浴槽水を補給する、というように動作している。すなわち、便器３を２回洗浄する毎にタンク１２に水を補給している。タンク１２の容量は便器３の洗浄を４回程行える量なので、上記のように２回の洗浄毎に補給していれば、タンク１２から便器３への排水中にタンク１２内の水が不足することはない。
【０１２１】
しかし、停電すると、中水排水カウンタが０にリセットされるので、たとえば、中水排水カウンタを２にカウントアップしたとき停電が生じると、停電から復旧したとき、タンク１２内の水量が便器３の洗浄２回分減っているにもかかわらず中水排水カウンタは０である。そのため、水の補給が行われないままタンク１２から便器３へ排水が行われ、排水中にタンク１２の水が不足する事態が生じる。
【０１２２】
なお、中水排水カウンタを電源がＯＦＦしてもリセットされない（カウント値を失わない）不揮発性のカウンタで構成したとしても、停電中に手動フラッシュ弁２９が操作されてタンク１２から便器３へ排水した場合には、停電から復旧したときのタンク１２内の水位と中水排水カウンタの値が不一致になり、停電から復旧後にタンク１２から便器３へ排水している最中にタンク１２内の水が不足する現象が生じ得る。
【０１２３】
図１０は、排水処理（図６のステップＳ２１０）の詳細を示している。この処理は図６の処理が一巡する毎に繰り返し実行される。浴槽水利用装置１０は、リモコン４０の中水排水釦４４が押下されてＯＮにされたか否かを調べる（ステップＳ６０１）。中水排水釦４４がＯＮにされていない場合は（ステップＳ６０１；Ｎｏ）、本処理を終了する（リターン）。
【０１２４】
中水排水釦４４がＯＮにされた場合は（ステップＳ６０１；Ｙｅｓ）、中水排水カウンタをカウントアップ（＋１）する（ステップＳ６０２）。続いて排水部１６の排水電磁弁２８を開き（ステップＳ６０３）、タンク１２から排水配管２６を通じて便器３へ排水すると共に、排水量をフローセンサ２７で計測する。
【０１２５】
排水中は、排水量が設定水量に達したか否か（ステップＳ６０４）および排水中にタンク１２の水が不足した（タンク水位センサ１４の第２の電極１４ｂが水位を検出しなくなった）か否かを監視する（ステップＳ６０５）。
【０１２６】
排水中にタンク１２の水が不足したときは（ステップＳ６０５；Ｙｅｓ）、手動上水使用フラグをＯＮにセットし（ステップＳ６０６）、上水給水管２３の逆流防止機能付き電磁弁８０Ａの電磁弁８４を開いて（ステップＳ６０７）、ステップＳ６０４に戻り、排水を継続する。すなわち、タンク１２から排水しながらタンク１２に上水を補給する。
【０１２７】
排水量が設定水量に達したら（ステップＳ６０４；Ｙｅｓ）、排水電磁弁２８を閉じてタンク１２からの排水を止めると共に（ステップＳ６０８）、逆流防止機能付き電磁弁８０Ａの電磁弁８４を閉じてタンク１２への上水の補給を停止させる（ステップＳ６０９）。その後、手動上水使用フラグがＯＮか否かを調べ、ＯＮでなければ（ステップＳ６１０；Ｎｏ）、本処理を終了する（リターン）。手動上水使用フラグがＯＮならば（ステップＳ６１０；Ｙｅｓ）、タンク１２が最高水位になるまで上水をタンク１２に補給し（ステップＳ６１１）、手動上水使用フラグをＯＦＦにリセットして（ステップＳ６１２）、本処理を終了する（リターン）。
【０１２８】
次に、本発明の第２の実施の形態について説明する。
【０１２９】
図１１は、第２の実施の形態に係る浴槽水利用装置１０Ｂを示している。なお、図１１では、トイレ暖房や臭い防止のための換気など中水補給管２１の洗浄に関係ない部分については適宜省略してある。また、図１、図２と同一部分には同一の符号を付してある。
【０１３０】
浴槽水利用装置１０Ｂは、第１の実施の形態と同様に上水給水管２３を通じて供給される水（上水）を、逆流防止機能付き電磁弁８０Ａを介して中水補給管２１に送り込んで中水補給管２１を洗浄する。浴槽水利用装置１０Ｂでは、タンク１２内の水と中水補給管２１とは、タンク内の高低差（空間）で縁切りされている。
【０１３１】
浴槽水利用装置１０Ｂは、順方向の入口８１に上水給水管２３が接続された逆流防止機能付き電磁弁８０Ａと、逆流防止機能付き電磁弁８０Ａの出口８２に一端が接続され、他端が中水補給管２１のタンク１２側の端部近傍に合流された上水送出管９１と、中水補給管２１のうちの上水送出管９１の合流箇所とタンク１２側の端部との間に介挿されて中水補給管２１を開閉する中水電磁弁２２とを備えている。中水補給管２１はタンク１２の最高水位より高い位置でタンク１２内に開口している。
【０１３２】
さらに浴槽水利用装置１０Ｂは、上水給水管２３から分岐し、終端がタンク１２の最高水位より高い位置でタンク１２内に開放された上水補給管９７と、上水補給管９７に介装されて上水補給管９７を開閉する上水補給電磁弁９８を備えている。逆流防止機能付き電磁弁８０Ａの排水口８３には、便器３へ通じた第１の排水管９４が接続されている。
【０１３３】
浴槽水利用装置１０Ｂでは、中水補給管２１を洗浄する際には、逆流防止機能付き電磁弁８０Ａの電磁弁８４を開き、上水補給電磁弁９８を閉じ、中水電磁弁２２を閉じる。これにより、上水給水管２３からの上水が上水送出管９１、中水補給管２１を通じて浴槽２内へ流れ出て、中水補給管２１が洗浄される。
【０１３４】
浴槽水をポンプ１１でタンク１２へ汲み上げて補給するときは、逆流防止機能付き電磁弁８０Ａの電磁弁８４を閉じ、上水補給電磁弁９８を閉じ、中水電磁弁２２を開き、ポンプ１１を動作させる。上水をタンク１２に補給するときは、逆流防止機能付き電磁弁８０Ａの電磁弁８４を閉じ、上水補給電磁弁９８を開く。
【０１３５】
上水補給管９７および中水補給管２１は、タンク１２の最高水位より高い位置でタンク１２内に開口しているので、空間によりタンク１２内の水と縁切りされている。これにより、たとえば、上水補給電磁弁９８が故障しても、タンク１２内の水が上水給水管２３へ逆流することはない。また、中水電磁弁２２が故障しても、タンク１２内の水が浴槽２へ逆流することはない。
【０１３６】
浴槽水利用装置１０Ｂの配管洗浄処理の流れは基本的に図７と同一である。ただし、ステップＳ３０４では、逆流防止機能付き電磁弁８０Ａの電磁弁８４を開き、ステップＳ３０７、Ｓ３０９では、逆流防止機能付き電磁弁８０Ａの電磁弁８４を閉じる。また、中水電磁弁２２、上水補給電磁弁９８は配管洗浄中、閉じた状態を維持する。
【０１３７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３８】
たとえば、取水口２ａは、図１２に示すように浴槽２の底部に設けられてもよい。これにより、より多くの残り湯をタンク１２に移送して利用することができる。
【０１３９】
また、ポンプ１１を天井裏などの上方に設置してもよい。なお、ポンプ１１を上方に設置した場合、ポンプ１１を順方向に動作させても、最初は、浴槽水を吸ってこない。そこで、試運転モードなどを設け、まず、タンク１２内に水を貯め（たとえば、上水給水配管２３からの上水を貯め）、その後、ポンプ１１を逆転させてタンク１２からポンプ１１へ水を逆流させてポンプ１１に呼び水を与えるようにしてもよい。
【０１４０】
なお、便器３はロータンク付き（手洗いなし）のものでもかまわない。ロータンク付きの場合、フローセンサ２７を設けなくてもよい。また、たとえば、排水電磁弁２８、手動フラッシュ弁２９を設けない構成としてもよい。
【０１４１】
実施の形態では、フローセンサ２７で排水量を計測し、中水排水釦４４の１回の操作に対して、設定水量を排水したときに排水電磁弁２８を閉じるように制御したが、一定時間の排水で排水電磁弁２８を閉じる構成でもよい。
【０１４２】
また、実施の形態では、中水排水カウンタによりタンク１２への水の補給時期を管理したが、たとえば、タンク１２を最高水位にした後にフローセンサ２７が検知した排水量からタンク１２の残水量を認識して、水の補給時期等を制御してもよい。
【０１４３】
実施の形態では、タンク１２をトイレの天井裏に設置したが、便器３より上方であれば、すなわち、位置エネルギーを利用した自然落下によってタンク１２から便器３へタンク１２内の水を排水できればよく、天井裏に限定されるものではない。
【０１４４】
タンク１２に貯めた水の用途は便器３の洗浄に限定されない。庭木への自動散水等であってもよい。
【符号の説明】
【０１４５】
２…浴槽
２ａ…取水口
３…便器
１０、１０Ｂ…浴槽水利用装置
１１…ポンプ
１２…タンク
１３…浴槽水位センサ
１４…タンク水位センサ
１５…温度センサ
１６…排水部
１７…放熱部
１８…制御基板
２１…中水補給管
２２…中水電磁弁
２３…上水給水管
２６…排水配管
２７…フローセンサ
２８…排水電磁弁
２９…手動フラッシュ弁
３１…熱交換器
３２…ファン
３３…通気口
３５…人感センサ
３７…換気ファン
４０…リモコン
４１…表示部
４２…運転釦
４３…設定釦
４４…中水排水釦
４５…上水排水釦
４６…配管洗浄釦
４７…上下キー
４８…ランプ
４９…トイレ暖房釦
５１…換気ダクト
５２…換気ファン
５４…屋外排水配管
５５…出水栓
５８…熱交換器
８０、８０Ａ、８０Ｂ…逆流防止機能付き電磁弁
８１…入口
８２…出口
８３…排水口
８４…電磁弁
８５…第１弁
８６…第２弁
８７…第３弁
９１…上水送出管
９２…上水補給管
９３…上水送出管開閉電磁弁
９４…第１の排水管
９５…第２の排水管
９７…上水補給管
９８…上水補給電磁弁
【図１】
2015010337.tif 000003
【図２】
2015010337.tif 000004
【図３】
2015010337.tif 000005
【図４】
2015010337.tif 000006
【図５】
2015010337.tif 000007
【図６】
2015010337.tif 000008
【図７】
2015010337.tif 000009
【図８】
2015010337.tif 000010
【図９】
2015010337.tif 000011
【図１０】
2015010337.tif 000012
【図１１】
2015010337.tif 000013
【図１２】
2015010337.tif 000014